(57)【要約】【課題】  空吸引を適切な時間行うことができる。【解決手段】  インクを吐出する複数の吐出口が設けられた吐出口面を有する記録ヘッドと、吐出口面を被覆するためのキャップと、キャップ内に配された吸収体と、キャップと接続されインクを吸引するための吸引手段と、を備え、キャップが大気と連通した状態で、吸引手段によって吸収体に吸収されたインクを吸引する空吸引動作を行うインクジェット記録装置であって、キャップと吸引手段の間に圧力測定手段を備え、空吸引動作の際に圧力測定手段によって測定される圧力値に基づいて、空吸引動作の吸引時間を制御する。【選択図】  図６
2019119067.tif 000002
【特許請求の範囲】
【請求項１】
インクを吐出する複数の吐出口が設けられた吐出口面を有する記録ヘッドと、
前記吐出口面を被覆するためのキャップと、
前記キャップ内に配された吸収体と、
前記キャップと接続されインクを吸引するための吸引手段と、を備え、
前記キャップが大気と連通した状態で、前記吸引手段によって前記吸収体に吸収されたインクを吸引する空吸引動作を行うインクジェット記録装置であって、
前記キャップと前記吸引手段の間に圧力測定手段を備え、
前記空吸引動作の際に前記圧力測定手段によって測定される圧力値に基づいて、前記空吸引動作の吸引時間を制御することを特徴とするインクジェット記録装置。
【請求項２】
前記空吸引動作の際に前記圧力測定手段によって測定された圧力値が閾値より大きい場合は、前記吸収体に対して前記記録ヘッドからインクを吐出させて再び前記空吸引動作を行わせる排出動作を行うことを特徴とする請求項１に記載のインクジェット記録装置。
【請求項３】
前記排出動作における前記空吸引動作の際に前記圧力測定手段によって測定された圧力値が閾値より大きい場合は、再度前記排出動作を行うことを特徴とする請求項２に記載のインクジェット記録装置。
【請求項４】
前記キャップは、前記吐出口面を被覆する被覆する被覆状態と前記吐出口面を露出する露出状態に切替可能であり、前記空吸引動作の際は前記露出状態であることを特徴とする請求項１から３のいずれか１項に記載のインクジェット記録装置。
【請求項５】
前記キャップは、該キャップが大気と連通する開状態と該キャップが大気と連通しない閉状態とに切替可能な大気開放弁を有し、前記空吸引動作の際は前記大気開放弁が前記開状態であることを特徴とする請求項１から３のいずれか１項に記載のインクジェット記録装置。
【請求項６】
インクを吐出する複数の吐出口が設けられた吐出口面を有する記録ヘッドと、前記吐出口面を被覆するためのキャップと、前記キャップ内に配された吸収体と、前記キャップと接続されインクを吸引するための吸引手段と、を備えるインクジェット記録装置の制御方法であって、
前記キャップが大気と連通した状態で、前記吸引手段によって前記吸収体に吸収されたインクを吸引する空吸引工程と、
前記空吸引工程において前記キャップと前記吸引手段の間における圧力値に基づいて、前記空吸引工程の吸引時間を制御する制御工程と、を有することを特徴とする制御方法。
【発明の詳細な説明】
【技術分野】
【０００１】
本発明は、インクタンクと記録ヘッドがインク供給路で接続されるインクジェット記録装置およびその判断方法に関する。
【背景技術】
【０００２】
特許文献１には、記録ヘッドの吐出口面を被覆可能なキャップと、キャップ内を負圧にするポンプを備えるインクジェット記録装置が開示されている。またキャップ内には、多孔質材料やスポンジ材料などで形成された、インクを吸収するための吸収部材が設けられている。インクジェット記録装置は、記録ヘッドの吐出口の目詰まりなどを抑制するために、画像データの記録とは別にインクの吐出を行う予備吐出動作を行う。予備吐出動作によって吐出されるインクはキャップで受けられ、キャップ内の吸収部材に吸収される。吸収部材はインクを吸収した状態で長時間経過するとインクの色材が堆積してしまうことがあるため、キャップを大気と連通した状態でポンプによって吸引排出する、いわゆる空吸引を行う必要がある。特許文献１では、予備吐出回数が閾値を超えたら空吸引を行うことで、吸収部材におけるインクの堆積を抑制している。
【先行技術文献】
【特許文献】
【０００３】
【特許文献１】特開２００９−７２９７０号公報
【発明の概要】
【発明が解決しようとする課題】
【０００４】
しかしながら特許文献１の構成では、インクジェット記録装置の設置環境に依らず一定時間の空吸引を行うため、設置環境によっては必要以上に長い時間空吸引を行うことでスループットが低下することがあった。
【０００５】
上記課題に鑑みて本発明は、空吸引を適切な時間行うことができるインクジェット記録装置を提供することを目的とする。
【課題を解決するための手段】
【０００６】
本発明は、上記目的を達成するため、インクを吐出する複数の吐出口が設けられた吐出口面を有する記録ヘッドと、前記吐出口面を被覆するためのキャップと、前記キャップ内に配された吸収体と、前記キャップと接続されインクを吸引するための吸引手段と、を備え、前記キャップが大気と連通した状態で、前記吸引手段によって前記吸収体に吸収されたインクを吸引する空吸引動作を行うインクジェット記録装置であって、前記キャップと前記吸引手段の間に圧力測定手段を備え、前記空吸引動作の際に前記圧力測定手段によって測定される圧力値に基づいて、前記空吸引動作の吸引時間を制御することを特徴とする。
【発明の効果】
【０００７】
本発明によれば、空吸引を適切な時間行うことができるインクジェット記録装置を提供される。
【図面の簡単な説明】
【０００８】
【図１】第１実施形態に係るインクジェット記録装置を示す斜視図である。
【図２】第１実施形態に係るインクジェット記録装置の一色分のインク流路を示す概念図である。
【図３】第１実施形態に係るインクジェット記録装置のブロック図である。
【図４】インクジェット記録装置の空吸引動作時の圧力変化を示すグラフである。
【図５】インクジェット記録装置の空吸引動作時の圧力変化を示すグラフである。
【図６】第１実施形態に係るインクジェット記録装置の空吸引動作を示すフローチャートである。
【図７】第１実施形態に係るインクジェット記録装置の空吸引動作における圧力変化を示すグラフである。
【図８】インクジェット記録装置の空吸引動作時の圧力変化を示すグラフである。
【図９】インクジェット記録装置の排出動作による圧力変化を示すグラフである。
【図１０】第２実施形態に係るインクジェット記録装置の排出動作を示すフローチャートである。
【図１１】第２実施形態に係るインクジェット記録装置の排出動作による圧力変化を示すグラフである。
【図１２】第３実施形態に係るインクジェット記録装置のリカバリー動作を示すフローチャートである。
【図１３】第３実施形態に係るインクジェット記録装置の電源ＯＮ時の排出動作を示すフローチャートである。
【図１４】第３実施形態に係るインクジェット記録装置の２つの閾値を設ける場合のフローチャートである。
【図１５】第３実施形態に係るインクジェット記録装置の圧力値を補正する場合のフローチャートである。
【発明を実施するための形態】
【０００９】
本発明に係るインクジェット記録装置の実施形態について説明する。ただし、実施形態に記載されている構成要素はあくまで例示であり、本発明の範囲を限定する趣旨のものではない。本明細書においては、間欠的に搬送される記録媒体に対しインクを吐出するヘッドを、記録媒体の搬送方向と交差する方向に往復移動させて記録を行う、シリアル型のインクジェット記録装置を例に説明する。しかしながら、本発明はシリアル型のインクジェット記録装置に限らず、長尺プリントヘッドを用いて連続的にプリントを行うライン型のインクジェット記録装置にも適用することができる。本明細書において「インク」とは、記録液などの液体の総称として用いる。さらに本明細書において「記録」とは、平面的なものに対する記録に限らず、立体物に対する記録も含む。本明細書において「記録媒体」とは、液体を吐出されるものであって、紙、布、プラスチックフィルム、金属板、ガラス、セラミックス、木材、皮革等の記録媒体の総称として用いる。さらに、記録媒体はロール状の連続紙に限らずカット紙も含む。なお、インクジェット記録装置はＰＣプリンタのみならず、コピー機能、ファクシミリ機能等を有するマルチファンクションプリンタにも適用することができる。
【００１０】
〔第１実施形態〕
図１は、インクジェット記録装置（以下、記録装置）５０の内部構造を示す概略斜視図である。記録装置５０は、対向して設けられた２つの脚部５５の上部に対して支持固定されている。記録装置５０内部には、ベルト伝達手段６２によってＸ方向に往復移動するキャリッジ６０が設けられている。キャリッジ６０は、記録媒体に対してインクを吐出して画像を記録する記録動作を行う記録ヘッド１を搭載している。記録ヘッド１は、ホストコンピュータ等から送られてきた記録データに基づいて各吐出口からインク滴を吐出して、記録媒体に対して画像を記録する。
【００１１】
記録装置５０の前面には、記録媒体を保持するロールホルダユニット５２が設けられている。本実施形態の記録媒体はロール状の連続紙である。記録媒体は記録ヘッド１による記録動作が行われる記録位置まで、ロールホルダユニット５２から記録装置５０内部へ給送される。画像が記録された記録媒体は、Ｘ方向と交差するＹ方向に搬送される。本実施形態においては、Ｘ方向とＹ方向は直交する。記録ヘッド１の記録動作によって１バンド分の画像が記録されると、記録媒体は搬送ローラ５１の回転によって所定の搬送量だけＹ方向に搬送される（間欠搬送動作）。この１バンド分の記録動作と間欠搬送動作を繰り返すことによって、記録媒体の全体に画像が記録される。記録媒体への記録が完了したら、不図示のカッタによって記録媒体が切断され、切断された記録媒体は記録装置５０の前面に設けられたスタッカ５３に積載される。
【００１２】
記録装置５０の前面側にはさらに、インク供給ユニット６３が備えられている。インク供給ユニット６３は、ブラック、シアン（第１のインク）、マゼンタ（第２のインク）、イエローなどの色毎にインクを収容するインクタンク５を有し、各インクタンク５は記録装置５０に対して着脱可能に設けられている。インクタンク５には可撓性部材等で構成された供給チューブ（インク供給路）２が接続され、供給チューブ２によってインクタンク５と記録ヘッド１とが接続されている。記録ヘッド１の記録媒体と対向する面は複数の吐出口が設けられた吐出口面２０であり、吐出口面２０はＹ方向に沿って複数の吐出口が設けられた吐出口列を色毎に備える。インクの色毎に備えられた複数の供給チューブ２は各吐出口列と接続され、チューブガイド６１によって束ねられている。
【００１３】
本実施形態の記録ヘッド１は、熱エネルギを利用してインクを吐出するインクジェット方式の記録ヘッドであり、熱エネルギを発生するための電気熱変換体を複数備えている。すなわち記録ヘッド１は、電気熱変換体に印加されるパルス信号によって熱エネルギを発生させ、この熱エネルギによって不図示のインク発泡室においてインクの膜沸騰を起こし、膜沸騰の発泡圧力を利用して吐出口よりインクを吐出する。なお、インクの吐出方法はこれに限らず、圧電素子による方法であってもよい。
【００１４】
回復ユニット７０は、Ｘ方向においてキャリッジ６０の走査範囲内であって、記録媒体の搬送領域外に設けられている。回復ユニット７０は、必要に応じて吐出口面２０に設けられた複数の吐出口からインクや空気を吸引してクリーニング動作を行ったり、インクタンク５から記録ヘッド１へインクを供給するための吸引動作を行ったりする。
【００１５】
記録装置５０の前面側でインク供給ユニット６３の上方には操作パネル（報知手段）５４が設けられている。ユーザが操作パネル５４を操作することで、記録装置５０に対する指令が入力される。操作パネル５４は、例えばインクタンク５の交換が必要な際にユーザに対して警告を発する表示パネルの機能を備えた、タッチパネル形式等も含む。
【００１６】
図２は、インクタンク５から記録ヘッド１までの一色分のインク流路を示す概念図である。インクタンク５の鉛直下方には大気連通室６が設けられ、大気連通室６には鉛直上方へ延在する第１中空管９が備えられている。また、インクタンク５は底部に第１ジョイント部９０と第２ジョイント部８０を有する。第１ジョイント部９０に対して第１中空管９が挿入されることで、インクタンク５と大気連通室６が接続される。大気連通室６は外部の大気と連通する大気連通路７を有するため、大気連通路７を介してインクタンク５と大気が連通している。
【００１７】
インクタンク５の第２ジョイント部８０には、供給チューブ２と接続され鉛直上方へ延びる第２中空管８が挿入され、これにより供給チューブ２を介してインクタンク５と記録ヘッド１が接続される。供給チューブ２にはさらに、供給チューブ２を開放する開状態と閉塞する閉状態とに切替可能な開閉弁３が設けられ、開閉弁３は駆動源である開閉弁モータ３５によって駆動される。
【００１８】
記録ヘッド１は、底部に複数の吐出口が設けられた吐出口面２０を有し、内部にインクに混ざった不純物を捕捉するためのフィルタ２１を有する。吐出口面２０は、大気と連通している第１中空管９の下端部よりも鉛直方向において上方に配される。これにより、インクタンク５から記録ヘッド１までインクが満たされると、各吐出口において負圧が保たれてメニスカスが維持される。記録動作の際は、各吐出口からインクが吐出されることで記録ヘッド１内のインクが消費されると、随時インクタンク５から各吐出口へと供給チューブ２を介してインクが供給される。このようなインクの供給方法は水頭差方式とも呼ばれている。なお本実施形態では、吐出口面２０と第１中空管９の下端部の高低差、いわゆる水頭差Ｈは約８０ｍｍである。
【００１９】
次に回復ユニット７０の構成について説明する。回復ユニット７０は、吐出口面２０を密閉可能なキャップ２２と、キャップ２２と接続される吸引ポンプ（吸引手段）２３を有する。キャップ２２は、吐出口面２０を密閉する被覆状態と露出させる露出状態とに切替可能である。吐出口面２０には複数のインク色に対応する複数の吐出口列が配されており、それらを共通のキャップ２２によって被覆する。キャップ２２内には多孔質材料やスポンジ材料などで形成されたキャップ内吸収体（以下、吸収体）２９が備えられ、吸引ポンプ２３は吸収体２９を介してキャップ２２内を負圧にする。吸収体２９を設けることで、吸引ポンプ２３による吸引の際にキャップ２２内を均一に減圧することが可能である。吸引ポンプ２３はチューブポンプであり、平均流量はチューブポンプの回転速度に比例する。本実施形態では、吸引ポンプ２３の流量がほぼ一定となるように、吸引ポンプモータ２８により制御される。
【００２０】
キャップ２２にはさらに大気開放弁３０が設けられ、大気開放弁３０はキャップ２２と大気との連通・非連通状態を切り替える。大気開放弁３０が開状態のときキャップ２２と大気は連通し、大気開放弁３０が閉状態のときキャップ２２と大気は連通しない。大気開放弁３０の開閉は大気弁モータ３１により行われる。本実施形態ではさらに、キャップ２２と吸引ポンプ２３の間に圧力センサ（圧力測定手段）２５が配される。圧力センサ２５は気体や液体の圧力を電気信号に変換して出力するもので、例えば、ひずみを計測するひずみゲージ式や静電容量の変化を計測する静電容量式がある。
【００２１】
記録ヘッド１の回復動作の１つとして、吐出口の目詰まりによるインクの吐出不良を抑制するための予備吐出動作を行う場合は、記録ヘッド１から吸収体２９に対してインクが吐出される。予備吐出動作によってキャップ２２で受けたインクは、吸引ポンプ２３によって吸引排出されてメンテナンスカートリッジ２４に収容される。後述するＣＰＵ１１（図３参照）がメンテナンスカートリッジ２４で回収されたインク量を算出し、算出したインク量が閾値に到達すると、メンテナンスカートリッジ２４を新品と交換するようにユーザに知らせる。なお、メンテナンスカートリッジ２４で回収したインク量は、ＣＰＵ１１がメンテナンスカートリッジ２４に流入したインク量を推定して、容量メモリ２６に逐次加算していくことで算出される。
【００２２】
図３は、記録装置５０の内部構成を示すブロック図である。ＣＰＵ（制御手段、判定手段）１１は記録装置５０全体を制御するための演算処理装置である。本実施形態では、ＣＰＵ１１はタイマ回路とも接続され、経過時間の計測が可能であり、計測手段としての機能も有する。ＲＡＭ１４は制御ソフトウエアを動作させる際に一時的に使用する情報を保持可能な記憶装置である。ＲＯＭ１３は制御ソフトウエアを内蔵し、読み出しのみ可能な記憶装置である。ユーザインターフェース（Ｉ／Ｆ）１２は、ユーザが操作するキーや情報を表示する操作パネル５４を含み、記録装置５０とホストコンピュータを接続するデータ送受信用通信ポートとして動作する。入出力Ｉ／Ｏ１５は、記録ヘッド１にインクを吐出させるヘッド吐出駆動部２７、吸引ポンプモータ２８、大気弁モータ３１、開閉弁モータ３５、圧力センサ２５、容量メモリ２６の入出力を制御する。
【００２３】
本実施形態において予備吐出動作は、記録動作の開始前と記録動作中に行われる。記録動作の開始前は０．０１ｇ程度のインクが記録ヘッド１から吸収体２９に吐出される。記録中は、キャリッジ６０が５往復するごとに０．０１ｇ程度のインクが記録ヘッド１から吸収体２９に吐出される。そのため、１ページの印刷において０．０２ｇ〜０．１ｇ程度の微量なインクが吸収体２９に吸収される。
【００２４】
予備吐出動作で受けたインクが吸収体２９の表面や内部で堆積するのを抑制するため、キャップ２２を露出状態にして吸引ポンプ２３を駆動し、吸収体２９のインクを吸引する空吸引動作が適宜行われる。一般的には、１つのジョブに含まれる画像データの記録動作終了後に、記録ヘッド１の回復動作の一環として空吸引動作も行われる。なお空吸引動作は、大気開放弁３０を開放してキャップ２２と大気が連通する状態において吸引ポンプ２３を駆動する形態であってもよい。
【００２５】
記録装置５０が受けたジョブが記録媒体１ページ分の画像データを有する場合は、１ページの記録動作終了に応じて回復動作としての空吸引動作が行われるため、吸収体２９によって保持されるインク量は比較的少ない。一方、記録装置５０が受けたジョブが複数ページ分の画像データを有する場合は、ＣＰＵ１１が予備吐出動作の吐出回数をカウントし、吐出回数が閾値を超えたら記録動作の途中であっても空吸引動作が行われる。この場合、閾値に達するまで吸収体２９でインクを受けているため、１ページの記録動作毎に空吸引動作を行う場合と比較して吸収体２９によって保持されるインク量は多い。
【００２６】
本実施形態では、空吸引動作の際に圧力センサ２５を用いて圧力値（負圧値）を測定する。図４は、空吸引動作の際に圧力センサ２５によって測定される圧力値を示す。縦軸は負圧値（圧力の絶対値）を示し、横軸は吸引ポンプ２３によって吸引する吸引時間（経過時間）を示す。データ１は吸収体２９内のインク量が多い場合の圧力値を示し、例えば予備吐出回数が閾値になるまで吸収体２９でインクを保持した場合が該当する。データ２は吸収体２９内のインク量が少ない場合の圧力値を示し、例えば１ページの記録動作が終了するたびに空吸引動作を伴う回復動作を行う場合が該当する。
【００２７】
期間Ａにおけるデータ１は、吸収体２９に吸収されたインクが吸引ポンプ２３によって排出されているときの圧力値を示す。吸収体２９に吸収されているインク量が多いほど、吸引によって吸収体２９内部を移動するインクの流れ抵抗が大きくなり、負圧値が大きくなる。その後、所定の最大負圧値を超えると、吸引によって吸収体２９に含まれるインク量が減少するにしたがって負圧値は小さくなる。
【００２８】
期間Ｂにおけるデータ１は、吸収体２９に吸収されたインクのうち吸引ポンプ２３によって吸引可能な量のインクが排出されたことで、負圧値がほぼ一定となっている。吸収体２９内の微細流路による抵抗が生じるため、インクの吸引は終えても圧力センサ２５によって所定の負圧値が測定される。
【００２９】
期間Ｃにおけるデータ２は、吸収体２９に吸収されたインクが吸引ポンプ２３によって排出されているときの圧力値を示し、データ１よりも吸収体２９に吸収されているインク量が少ないため、最大負圧値は小さくなっている。また、吸収体２９に吸収されているインク量が少ないため、吸引ポンプ２３によって吸引可能な量のインクを排出するためにかかる時間も期間Ａより短い。
【００３０】
期間Ｄにおけるデータ２は、期間Ｂにおけるデータ１と同様、吸引可能なインクの吸引が終わり、圧力センサ２５によって測定される負圧値が一定となっている。また、期間Ｄにおいて測定される負圧値は、期間Ｂにおいて測定される負圧値とほぼ等しく、吸収体２９に吸収されたインク量に関わらず吸引が完了すると一定の負圧値となる。すなわち、吸収体２９内の微細流路による流抵抗による負圧値になる。
【００３１】
従来、前述した空吸引動作の実行時間は、記録装置５０の設置環境やインク特性によるバラつきを考慮した長めの時間が設定されていた。そのため、吸収体２９に吸収されたインクの排出が終わった後も空吸引動作が続き、スループットが低下してしまうことがあった。これに対して本実施形態では、圧力センサ２５で測定した圧力値に基づいて空吸引動作の実行時間を変更する。
【００３２】
空吸引動作を行うと、圧力センサ２５によって図４に示すような圧力変化が測定される。すなわち、吸収体２９内の吸引可能なインクの吸引が完了するとほぼ一定の圧力値が測定されるため、単位時間あたりの圧力変化量は所定範囲内の微小なものとなる。そこで図５に示すように、圧力値の所定値Ｐ１を実験データに基づいて定めて、圧力センサ２５によって測定される圧力値が所定値Ｐ１を下回ったら圧力変化量の判定を開始する。
【００３３】
具体的には、圧力センサ２５によって測定された単位時間あたりの圧力変化量と、予め定められた単位時間あたりの圧力変化量の閾値Ｐ２とを、ＣＰＵ１１が比較判定する。測定された単位時間あたりの圧力変化量が閾値Ｐ２以下であれば、吸収体２９内のインクの吸引が完了したと判断でき、ＣＰＵ１１は空吸引動作を停止する。
【００３４】
図６に示すフローチャートに沿って、空吸引動作を実行して停止するまでの空吸引動作シーケンスについて説明する。まず、ステップＳ１０１にてＣＰＵ１１が吸引ポンプモータ２８を駆動して吸引ポンプ２３による空吸引を開始する。ステップＳ１０２にて、ＣＰＵ１１は圧力センサ２５によって測定された圧力値を取得する。ステップＳ１０３にて、ＣＰＵ１１は圧力センサ２５で測定した圧力値が所定値Ｐ１を下回ったか判定する。
【００３５】
ステップＳ１０３にて圧力値が所定値Ｐ１を下回っていない場合は、ステップＳ１０４にてＣＰＵ１１は空吸引を継続する。一方、圧力値が所定値Ｐ１を下回った場合は、ステップＳ１０５にてＣＰＵ１１は圧力センサ２５で測定された圧力値を取得する。ステップＳ１０６にてＣＰＵ１１は、取得された単位時間あたりの圧力変化量を閾値Ｐ２と比較判定する。
【００３６】
ステップＳ１０６にて、単位時間あたりの圧力変化量が閾値Ｐ２より大きい場合は吸収体２９内のインクの吸引が完了していないため、ステップＳ１０７に進み空吸引を継続する。一方、ステップＳ１０６にて、単位時間あたりの圧力変化量が閾値Ｐ２以下になった場合は、吸収体２９内のインクの吸引が完了したと判断される。従って、ステップＳ１０８にてＣＰＵ１１は、吸引ポンプモータ２８を停止して吸引ポンプ２３による空吸引を停止する。
【００３７】
図７を用いて本実施形態の効果を説明する。図７は、吸収体２９内のインク含有量が少ないデータ３と、吸収体２９内のインク含有量が多いデータ４についての、空吸引動作時の圧力変化を示すグラフである。縦軸は負圧値の絶対値を示し、横軸は吸引時間（経過時間）を示す。従来のように、空吸引動作の吸引時間を一律に定めた場合は、時間Ｔが経過するまで空吸引動作が行われていた。
【００３８】
本実施形態では、圧力値が所定値Ｐ１を下回ると、単位時間あたりの圧力変化量を閾値Ｐ２と適宜比較判定し、測定された圧力変化量が閾値Ｐ２以下になったら吸引を停止する。すなわち、図７のグラフに示す傾きが小さくなったら吸引を停止する。そのため、データ３の場合は時間Ｔａの経過後に吸引が停止され、データ４の場合は時間Ｔｂの経過後に吸引が停止される。これにより、従来の時間Ｔと比較して空吸引動作の吸引時間を低減することができる。
【００３９】
上述したように、圧力センサ２５で測定された圧力値を用いて空吸引動作の吸引時間を変更することで、記録装置５０の設置環境やインクの特性に応じて適切な吸引時間で実行可能であり、吸引時間を短縮することができる。
【００４０】
〔第２実施形態〕
記録動作や予備吐出動作によって吐出されたインクの種類によっては、水分の蒸発によって堆積することがある。特に吸収体２９に吐出されたインクは、キャップ２２が吐出口面２０から離間した露出状態で長時間放置された場合、水分の蒸発が進んで吸収体２９の内部や表面で堆積することがある。
【００４１】
図８は、図４と同様、空吸引動作の際に圧力センサ２５によって測定される圧力値を示す。縦軸は負圧値を示し、横軸は吸引ポンプ２３による吸引時間（経過時間）を示す。図４と同様、データ１は吸収体２９内のインク量が多い場合の圧力値を示し、データ２は吸収体２９内のインク量が少ない場合の圧力値を示す。データ１’は、データ１の状態から吸収体２９に保持されているインクが堆積した場合の圧力値を示す。またデータ２’は、データ２の状態から吸収体２９に保持されているインクが堆積した場合の圧力値を示す。
【００４２】
吸収体２９の内部や表面でインクが堆積すると、吸収体２９内部の微小空間の一部が塞がれることによってインクが通過可能な空間が狭くなり、吸引ポンプ２３による吸引によって生じるインクの流れ抵抗は大きくなる。また、吸収体２９内部の空間が狭くなることで、吸引によってインクのメニスカスを破壊するために必要な圧力も増える。これらのことから、吸収体２９の内部や表面でインクが堆積すると、インクが堆積していない場合と比較して、圧力センサ２５によって測定される負圧値が全体的に大きくなる。
【００４３】
なお、この現象は吸収体２９に吸収されるインク量に関わらず発生する。そのため、データ１’における負圧値はデータ１における負圧値より大きくなる。すなわち、吸収体２９内の吸引可能なインクの吸引が完了した期間Ｂにおいても、データ１よりデータ１’の方が大きい負圧値が測定される。同様に、データ２’における負圧値はデータ２における負圧値より大きくなる。また、吸収体２９内の吸引可能なインクの吸引が完了して負圧値が安定する期間Ｄにおいても、データ２よりデータ２’の方が大きい負圧値が測定される。このことから、期間Ｂや期間Ｄにおいて測定される圧力値によって、吸収体２９内のインクの堆積量を推定することができる。なお、図８においてはデータ１’の期間Ｂにおける負圧値とデータ２’の期間Ｄにおける負圧値はほぼ等しいことから、吸収体２９におけるインクの堆積量もほぼ等しいことが分かる。
【００４４】
吸収体２９等でインクが堆積すると、吸引ポンプ２３によって吸収体２９内のインクを吸引しきれなくなることがあるため、堆積したインクを溶解して排出するための排出動作を行うことがある。具体的には、キャップ２２を被覆状態にして吐出口面２０と当接した状態で、記録ヘッド１からインクを吐出させる。このとき、吸収体２９をインクで十分に湿らせることができるように、吸収体２９の体積に合わせて吐出量を調節する。本実施形態では１ｇ程度のインクを吸収体２９に対して吐出させる。このように記録ヘッド１からインクを吐出させることで、吸収体２９内で堆積したインクを溶解することができる。その後、大気開放弁３０を開放して、吸引ポンプ２３によりインクを吸引する空吸引動作を行うことで、溶解されたインクが排出される。この一連の動作を排出動作と称する。
【００４５】
インクの乾燥速度や堆積速度は、記録装置５０の設置環境やインクの特性に応じて変化することから、従来はそのバラつきを考慮して上述した排出動作を行う頻度を高めに設定していた。そのため、場合によっては、インクの堆積が進行していないにもかかわらず排出動作が行われることによって、余分にインクを排出してしまうことがあった。
【００４６】
図９は、従来のように一律の頻度で排出動作を行う場合の圧力値の推移を示す。縦軸は、図４や図８における期間Ｂ及び期間Ｄのように、吸収体２９内のインクを吸引しきって安定した状態の負圧値の推移を示し、横軸は経過日数を示す。グラフ１は、低湿度環境などのインクの乾燥速度が速い場合の負圧値の推移である。グラフ２は、通常のオフィス環境などの、グラフ１よりインクの乾燥速度が遅い場合の負圧値の推移である。
【００４７】
吸収体２９内のインクを吸引完了した際の負圧値が閾値Ｐ３に達すると、インクの堆積が所定量に到達して排出動作が必要であることを示す。なお、閾値Ｐ３は排出動作によって堆積したインクを排出可能な負圧値を実験データ等に基づいて定められる。図９において従来のように一律に定められた排出動作の頻度をＸ１とした場合、グラフ１の場合はＸ１の期間が経過すると負圧値が閾値Ｐ３に到達して排出動作が必要な状態となる。一方、グラフ２の場合はＸ１の期間が経過しても負圧値は閾値Ｐ３に満たないため、必ずしも排出動作を行う必要はない。そのため、グラフ２の場合においては排出動作が行われる頻度が過剰であり、インクが余分に排出されることとなる。
【００４８】
これに対して本実施形態では、吸収体２９内のインクを吸引完了した際の負圧値を圧力センサ２５で測定し、閾値Ｐ３と比較判定する。測定された負圧値が閾値Ｐ３に達したときに排出動作が実行されるように制御を行う。
【００４９】
図１０は、圧力センサ２５を用いた排出動作に関するフローチャートを示す。図１０（ａ）は空吸引動作後のシーケンスを示し、図１０（ｂ）は排出動作の具体的なシーケンスを示す。まずステップＳ２０１にて、ＣＰＵ１１は図６に示す空吸引動作を実施する。その後ステップＳ２０２にて、ＣＰＵ１１は空吸引動作の際に測定した、インク吸引完了後の安定した負圧値を取得する。
【００５０】
ステップＳ２０３にてＣＰＵ１１は、ステップＳ２０２で取得した測定圧力値が閾値Ｐ３より小さいか判定する。測定圧力値が閾値Ｐ３より小さい場合は、まだ排出動作を実行する必要がないため終了する。一方、測定圧力値が閾値Ｐ３より大きい場合は、ステップＳ２０４にてＣＰＵ１１が排出動作を実行する。
【００５１】
図１０（ｂ）に示す排出動作に関するフローチャートでは、まずステップＳ２０５にてＣＰＵ１１は、キャップ２２が記録ヘッド１の吐出口面２０に密着するようにキャップ２２を被覆状態にする。その後、ステップＳ２０６にてＣＰＵ１１は記録ヘッド１に予備吐出動作を実行させる。本実施形態では１．０ｇ程度のインクを記録ヘッド１に吐出させることで、吸収体２９で堆積したインクを溶解する。ステップＳ２０７にてＣＰＵ１１は大気弁モータ３１を駆動して、大気開放弁３０を開放してキャップ２２内を大気と連通させる。その後、ステップＳ２０８にてＣＰＵ１１は再び図６に示す空吸引動作を実行する。
【００５２】
図１１は、本実施形態を採用した頻度で排出動作を行った場合の圧力値の推移を示すグラフである。縦軸は、図９と同様、吸収体２９内のインクを吸引しきって安定した状態の負圧値の推移を示し、横軸は経過日数を示す。グラフ３は、図９におけるグラフ１と同様、低湿度環境などのインクの乾燥速度が速い場合の負圧値の推移である。グラフ４は、図９におけるグラフ２と同様、通常のオフィス環境などの、グラフ３よりインクの乾燥速度が遅い場合の負圧値の推移である。
【００５３】
グラフ４は、グラフ３と比べてインクの乾燥速度が遅く、インクの堆積も進まない。そのため、負圧値が閾値Ｐ３に達するまでの時間も長くなり、グラフ３のＸ１の期間より長いＸ２の期間が経過すると初めて排出動作が実行される。これにより、図９に示すＸ１の期間経過毎に排出動作が実行される場合と比較して、排出動作が実行される頻度が低減されて、廃インク量も低減される。
【００５４】
以上説明したように、圧力センサ２５で測定された圧力値に基づいて吸収体２９で堆積したインクの排出動作を実行することによって、適切なタイミングで排出動作を実行することができ、インクが余分に排出されることを抑制することができる。
【００５５】
なお、複数のインク色に対応した吐出口列を単一のキャップ２２でキャッピングする構成について説明したが、これに限らず、複数のキャップを用いて空吸引動作や排出動作を行う形態であってもよい。複数のキャップを用いる場合は、共通の吸引ポンプ２３で吸引可能な構成にし、各キャップ２２と吸引ポンプ２３の間に圧力センサ２５を各々配置する構成でも良い。その場合、負圧値が閾値Ｐ３を超えた吸収体２９を有するキャップ２２のみに排出動作を実行させることで、より廃インク量を低減することが可能である。
【００５６】
〔第３実施形態〕
本実施形態では、より適切な制御を行うことで吸収体２９におけるインクの堆積を排出可能な動作に関して説明する。本実施形態では、排出動作を複数回行わせる方法と、電源ＯＮ時に圧力値に基づいて排出動作を行わせる方法と、２段階の閾値を設定して排出動作の頻度を低減する方法と、初期充填動作時に取得した圧力値に基づいて閾値を決定する方法と、を説明する。
【００５７】
（リカバリー動作）
通常は、第２実施形態で記載した排出動作によって吸収体２９に堆積したインクはほぼ完全に排出されるため、排出動作後の空吸引動作時の負圧値は、インクが堆積していない吸収体２９の流れ抵抗による負圧値と同等になる。しかしながら、キャップ２２が長期間露出状態で放置された場合は、吸収体２９内で想定以上にインクの堆積が進行し、一度の排出動作では堆積したインクを排出しきれない場合がある
そこで本実施形態では、１回目の排出動作後に行う空吸引動作時の負圧値を測定し、予め設定した閾値Ｐ４と比較することで、吸収体２９で堆積したインクが十分に排出されたか判定する。排出が不十分であった場合は、２回目以降の排出動作を実行するリカバリー動作を行うことで、より確実に堆積したインクを除去できる。
【００５８】
図１２に上記のリカバリー動作のシーケンスを示す。まずステップＳ３０１にてＣＰＵ１１は、第２実施形態と同様、図６に示す空吸引動作を実施する。その後ステップＳ３０２にて、ＣＰＵ１１は空吸引動作の際に測定したインク吸引完了後の安定した負圧値を取得する。ステップＳ３０３にてＣＰＵ１１は、ステップＳ３０２で取得した測定圧力値が閾値Ｐ３より小さいか判定する。
【００５９】
判定の結果、測定圧力値が閾値Ｐ３より小さければ、まだ排出動作を実行する必要がないためＣＰＵ１１はシーケンスを終了する。一方、測定圧力値が閾値Ｐ３をより大きい場合、ステップＳ３０４にてＣＰＵ１１はカウントを１つ更新し、ステップＳ３０５にて図１０（ｂ）に示す排出動作を実行する。ステップＳ３０６にてＣＰＵ１１は、排出動作で行う空吸引動作の際に測定された負圧値を取得する。
【００６０】
ＣＰＵ１１はステップＳ３０７にて、取得した測定圧力値が閾値Ｐ４より小さいか判断する。ここで閾値Ｐ４は、インクが堆積していない吸収体２９をインクが通過する際にかかる流れ抵抗で生じる負圧値に基づいて予め設定しておく。測定圧力値が閾値Ｐ４より小さい場合は、排出動作によって吸収体２９で堆積したインクは十分に排出されたと判断して、ＣＰＵ１１はシーケンスを終了する。一方、測定圧力値が閾値Ｐ４より大きい場合、ステップＳ３０８にてＣＰＵ１１は、カウント回数Ｎが３回に達したか否かを判定する。ＣＰＵ１１はカウント回数Ｎを用いて、リカバリー動作によって排出動作を行った回数をカウントしている。
【００６１】
カウント回数Ｎが３回未満の場合は、ステップＳ３０４に戻って再び排出動作を実行する。一方、カウント回数Ｎが３回に達した場合は、吸収体２９にインク以外の異物が混入した等の他の要因が考えられるため、ステップＳ３０９にてＣＰＵ１１は排出動作を行わせずに、操作パネル５４にエラーを表示して終了する。
【００６２】
上述したリカバリー動作を実行することで、１回の排出動作では排出が不十分であった場合も、堆積したインクをより確実に吸収体２９から排出することができる。また、予備吐出動作を伴う排出動作に限らず、他の回復動作によって記録ヘッド１から吸収体２９に吸収させたインクを用いて堆積したインクを溶解して排出してもよい。他の回復動作としては、例えば図２に示す開閉弁３を閉じた状態で吸引ポンプ２３を駆動して吸引して負圧をチャージして、開閉弁３を開いて高い負圧で回復を行う弁閉じ吸引動作が挙げられる。この場合、吸引によって吸収体２９を通過するインク量は予備吐出動作によって吐出されて吸収するインク量よりも多いため、堆積したインクがより溶解されやすく、一度の排出動作における排出効果は高い。
【００６３】
（電源ＯＮ時の排出動作）
記録装置５０の本体電源が切られた状態で長期間使用されない場合、キャップ２２が記録ヘッド１の吐出口面を被覆する被覆状態であっても、吸収体２９に吸収されたインクは乾燥して堆積が進んでいる場合がある。そこで、所定期間記録装置５０が放置された後にユーザが記録装置５０の電源を入れた場合、圧力センサ２５を用いて負圧値を測定することで、吸収体２９におけるインクの堆積状態を判断する。
【００６４】
図１３に、記録装置５０が所定期間使用されなかった場合の、電源ＯＮ時の圧力値取得を行うシーケンスを示す。まずステップＳ４０１にて、ユーザによって記録装置５０の電源が入れられる。続いてステップＳ４０２にてＣＰＵ１１は、前回電源ＯＦＦとなってからの経過時間Ｔが所定期間Ｔ１未満か判定する。本実施形態ではＴ１を２０日とする。
【００６５】
経過時間Ｔが所定期間Ｔ１未満であれば、ＣＰＵ１１はシーケンスを終了する。一方、
経過時間Ｔが所定期間Ｔ１以上経過していた場合、ステップＳ４０３にてＣＰＵ１１はキャップ２２を記録ヘッド１から離間して露出状態とする。続いてステップＳ４０４にてＣＰＵ１１は、吸引ポンプモータ２８を駆動して図６に示す空吸引動作を実施する。
【００６６】
ステップＳ４０５でＣＰＵ１１は、ステップＳ４０４の空吸引中に圧力センサ２５によって測定された圧力値を取得する。ステップＳ４０６にてＣＰＵ１１は、取得した測定圧力値が閾値Ｐ４を超えているか否かを判定する。測定圧力値が閾値Ｐ３より小さい場合、ＣＰＵ１１はシーケンスを終了する。一方、測定圧力値が閾値Ｐ３を超えていた場合、ステップＳ４０７にてＣＰＵ１１は図１０（ｂ）に示す排出動作を実行する。
【００６７】
以上述べたように、記録装置５０が所定期間を超えて使用されなかった場合には、電源ＯＮ時に圧力センサ２５によって圧力値を測定し、測定した圧力値（負圧値）が閾値Ｐ３より大きい場合にはインクの堆積が予測されるため排出動作を行う。これにより、記録動作前の記録ヘッド１の回復動作を確実に行うことができる。
【００６８】
（２段階閾値）
インク成分が吸収体２９に堆積し始めると、次第に吸引ポンプ２３によるインクの排出が不十分な状態となる。すると吸収体２９上に残留インクが生じやすくなり、より一層インクの蒸発による堆積が加速される。そこで、まだ堆積が進んでいない状態においては、記録動作の開始前と記録動作中の予備吐出数を通常より多くして吸収体２９が湿った状態を維持する。さらに、１ページの記録動作終了ごとに空吸引動作を実施してインクを排出することで、堆積の進行を遅らせることができる。
【００６９】
図１４は、閾値Ｐ３よりも小さい第２閾値Ｐ５を設ける場合のフローチャートを示す。測定された負圧値が第２閾値Ｐ５に達したら、予備吐出数を通常より多くし、１ページの記録動作終了ごとに空吸引動作を行う制御に切り替えるシーケンスである。
【００７０】
まずステップＳ５０１にて、ＣＰＵ１１はＳ５０１にて記録ヘッド１に予備吐出動作を行わせる。通常の予備吐出量は０．０１ｇ程度である。次にステップＳ５０２にて、ＣＰＵ１１は図６に示す空吸引動作を実施し、ステップＳ５０３にて空吸引動作の際に測定された負圧値を取得する。
【００７１】
ステップＳ５０４にて、ＣＰＵ１１は測定圧力値を第２閾値Ｐ５と比較する。測定圧力値が第２閾値Ｐ５よりも小さい場合は終了する。測定圧力値が第２閾値Ｐ５より大きい場合は、ステップＳ５０５にてＣＰＵ１１が予備吐出量を変更する。本実施形態では、通常の０．０１ｇから０．０３ｇに変更する。さらに、ステップＳ５０６にてＣＰＵ１１は、記録装置５０が複数ページ分のジョブを受信した場合であっても、１ページの記録動作毎に空吸引動作を行う制御に変更する。
【００７２】
以上述べたように、２段階の閾値を設定し、１つ目の閾値との比較判定によって吸収体２９が乾燥しにくい制御に変更することで、堆積を抑制し、全体として廃インク量も低減することができる。
【００７３】
（圧力閾値の補正）
上述した実施形態では、比較判定に用いる閾値を実験値から求めた一定値としている。しかしインクが抜け切った状態の圧力値は、吸収体２９の目のバラつきや吸引ポンプ２３の性能のバラつき等、記録装置５０によって差が生じる場合がある。そこで本例では、吸収体２９に初めてインクを吸収させて空吸引動作を行った際に得られる初期圧力値Ｐｉを取得して、初期圧力値Ｐｉに基づいて排出動作によって堆積インクを排出可能な圧力値の閾値を設定する。
【００７４】
まず、ステップＳ６０１にて、ＣＰＵ１１は記録ヘッド１へインクを充填するための初期充填動作を行う。このときに吸収体２９に初めてインクが吸収される。次に、ステップＳ６０２にて、ＣＰＵ１１は図６に示す空吸引動作を実施し、ステップＳ６０３にて初期圧力値Ｐｉを取得する。ステップＳ６０４にて、ＣＰＵ１１は初期圧力値Ｐｉに対して圧力上昇率ΔＰを乗じて、排出動作によって堆積インクを排出できる閾値Ｐｅを算出して記憶する。
【００７５】
これにより、バラつきを考慮した閾値Ｐｅの設定が可能となり、より適切なタイミングで排出動作を行うことができる。
【符号の説明】
【００７６】
１  記録ヘッド
１１  ＣＰＵ（判定手段、制御手段）
２０  吐出口面
２２  キャップ
２３  吸引ポンプ（吸引手段）
２５  圧力センサ（圧力測定手段）
２９  キャップ内吸収体
５０  インクジェット記録装置
【図１】
2019119067.tif 000003
【図２】
2019119067.tif 000004
【図３】
2019119067.tif 000005
【図４】
2019119067.tif 000006
【図５】
2019119067.tif 000007
【図６】
2019119067.tif 000008
【図７】
2019119067.tif 000009
【図８】
2019119067.tif 000010
【図９】
2019119067.tif 000011
【図１０】
2019119067.tif 000012
【図１１】
2019119067.tif 000013
【図１２】
2019119067.tif 000014
【図１３】
2019119067.tif 000015
【図１４】
2019119067.tif 000016
【図１５】
2019119067.tif 000017